(57)【要約】【課題】  防水性や防塵性を向上させるとともに作業性も向上させる。【解決手段】  グロメット２０は、円筒状のケーブル保持部２１と、鍔部２２と、ケーブル保持部２１の一方の開口を閉塞する閉塞部２３とからなり、全体がゴムによって一体に形成されている。閉塞部２３は、中央に厚肉に形成された厚肉部２３ａと、周縁部に薄肉に形成された薄肉部２３ｂとからなる。厚肉部２３ａが形成された領域の面積は、薄肉部２３ｂが形成された領域の面積よりも大きく形成されている。【選択図】  図６
2005110427.tif 000002
【特許請求の範囲】
【請求項１】
ケーブルが貫通し貫通したケーブルを保持する円筒状に形成したケーブル保持部と、このケーブル保持部の一端を閉塞する閉塞部とからなり、前記閉塞部を前記ケーブル保持部に挿入したケーブルを押し当てることによって前記ケーブル保持部から破断可能な厚みに形成したグロメットにおいて、前記閉塞部の中央部を周縁部よりも厚肉に形成し厚肉部を設けたことを特徴とするグロメット。
【請求項２】
請求項１記載のグロメットにおいて、前記厚肉部を前記ケーブル保持部の内側に設けたことを特徴とするグロメット。
【請求項３】
請求項１または２記載のグロメットにおいて、前記ケーブル保持部を保持するアッパーケースとロアーケースとを備え、前記ケーブル保持部にこのケーブル保持部の軸線方向と直交する方向に鍔を突設し、前記ロアーケースに前記鍔が係入される保持溝を設けるとともに、前記鍔を前記両ケースで挟持することを特徴とするグロメットの取付構造。
【発明の詳細な説明】
【技術分野】
【０００１】
本発明は、電子機器等の筺体に穿設したケーブル導出用孔からケーブルを導出可能とするとともにケーブル導出用孔を閉塞するグロメットおよびその取付構造に関するものである。
【背景技術】
【０００２】
この種のグロメットは、ケーブル導出用孔からケーブルを導出しない場合、筺体内への雨水や塵埃の侵入を防止するためにケーブル導出用孔を閉塞しておき、この閉塞部をケーブル導出用孔からケーブルを導出する場合に破断可能な構造としている。図７は従来のグロメット３０の断面図で、ケーブルを貫通させる円筒状に形成したケーブル保持部３１の一方の開口部が閉塞部３３によって閉塞されている。この閉塞部３３は、ケーブルの挿通によっても容易に破断することができるように厚みδ１によって全体が薄肉に形成されている。このように形成されているにもかかわらず、全体が薄肉に形成されているため、ケーブルによって破断される際に閉塞部３３全体を破断することができずに切れ端が残ることがあり、この切れ端がケーブルとグロメットとの間に介在すると防水性や防塵性が低下する。また、残った切れ端を取り除くために工具を必要とする場合があり、作業者にとって煩雑な作業になっていた。
【０００３】
これを解決するものとして、ケーブルを貫通させる小径部の開口端部に薄肉に形成したシール部材を設け、このシール部材に中心から半径方向に放射状に伸びる切り込みを設けておき、ケーブルを貫通させる際にこの切り込みを利用したものがある（例えば、特許文献１参照）。また、ケーブルを貫通させる筒部の開口部にこの開口部を覆うように複数枚のフィンを設けたものもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開２００３−４７１３７号公報（段落「００１４」〜「００１６」、図１）
【特許文献２】特開２００３−１１１２４５号公報（段落「００１６」、図２）
【発明の開示】
【発明が解決しようとする課題】
【０００４】
上述した従来のグロメットにおいては、シール部材に切り込みが設けられていたりフィンとの間に隙間が設けられているため、ケーブルを貫通させずに使用する場合には、これら切り込みや隙間から雨水や塵埃が侵入してしてしまうため、防水性や防塵性が低下するという問題があった。
【０００５】
本発明は上記した従来の問題に鑑みなされたものであり、その目的とするところは、防水性や防塵性を向上させるとともに、作業性を向上させることにある。
【課題を解決するための手段】
【０００６】
この目的を達成するために、請求項１に係る発明は、ケーブルが貫通し貫通したケーブルを保持する円筒状に形成したケーブル保持部と、このケーブル保持部の一端を閉塞する閉塞部とからなり、前記閉塞部を前記ケーブル保持部に挿入したケーブルを押し当てることによって前記ケーブル保持部から破断可能な厚みに形成したグロメットにおいて、前記閉塞部の中央部を周縁部よりも厚肉に形成し厚肉部を設けたものである。
また、請求項２に係る発明は、請求項１に係る発明において、前記厚肉部を前記ケーブル保持部の内側に設けたものである。
また、請求項３に係る発明は、請求項１または２に係る発明において、前記ケーブル保持部を保持するアッパーケースとロアーケースとを備え、前記ケーブル保持部にこのケーブル保持部の軸線方向と直交する方向に鍔を突設し、前記ロアーケースに前記鍔が係入される保持溝を設けるとともに、前記鍔を前記両ケースで挟持するものである。
【発明の効果】
【０００７】
請求項１に係る発明によれば、閉塞部に切り込みやフィンがないため、防水性や防塵性を向上させることができる。また、ケーブルを貫通させるときに、閉塞部全体がその周縁によってケーブル保持部から容易に破断できるため作業性も向上する。
また、請求項３に係る発明によれば、筺体へのグロメットの組付性が向上する。
【発明を実施するための最良の形態】
【０００８】
以下、本発明の実施の形態を図に基づいて説明する。図１は本発明に係るグロメットを筺体に組み付ける作業を説明するための分解斜視図、図２は同じくグロメットが組み付けられた状態を示す筺体の斜視図、図３は図２におけるIII-III 線断面図、図４は図２におけるIV-IV 線断面図、図５は同じくグロメットを示し、同図（ａ）は平面図、同図（ｂ）は正面図、同図（ｃ）は側面図、同図（ｄ）は背面図、図６は図５（ｂ）におけるVI-VI 線断面図である。
【０００９】
図１において、符号１で示すものは主に屋外に設置される電子機器の筺体であって、上部および下部が開口し略枠状に形成されたロアーケース２と、このロアーケース２の上部開口を覆うアッパーケース３と、ロアーケース２の下部開口を閉塞する底板４とによって概ね構成されている。ロアーケース２の後部側には箱状に形成されたカバー５が一体に設けられており、このカバー部５の両側部には一対のアンテナ６，６が回動自在に支持されている。
【００１０】
ロアーケース２の前端壁には、上方が開口したケーブル導出用孔としてのＵ字状に形成した溝８が設けられ、この溝８の周部には第１の挟持部９が形成されており、この第１の挟持部９と対向するようにＵ字状に形成した溝１０が形成された第２の挟持部１１がロアーケース２に立設され、これら第１および第２の挟持部９，１１の間には保持溝１２が形成されている。１３は屋外に設置された筺体１をブラケット等に固定するための取付片であって、ロアーケース２に一体に突設されている。
【００１１】
アッパーケース３は下方が開口し、前端壁１５には下方が開口したコ字状に形成した溝１６が設けられており、この溝１６の上端面は、中央部に円弧状に形成した第１の押え部１６ａと、この第１の押え部１６ａの左右に直線状に形成した第２の押え部１６ｂとによって形成されている。
【００１２】
２０は本発明に係るグロメットであって、図６に示すように、円筒状に形成したケーブル保持部２１と、このケーブル保持部２１の外周部にケーブル保持部２１の軸線方向と直交するように上下方向に突設された鍔部２２と、ケーブル保持部２１の一方の開口を閉塞する閉塞部２３とからなり、全体がゴムによって一体に形成されている。
【００１３】
鍔部２２は上下方向の中央の左右に段部２２ａ，２２ａが設けられ、一方の端部に側面視Ｕ字状に形成された係合部２２ｂが突設されている。閉塞部２３は、中央に厚肉に形成した厚肉部２３ａと、周縁部に薄肉に形成した薄肉部２３ｂとからなり、薄肉部２３ｂの厚さδ１は従来のグロメットにおける閉塞部の厚さδ１と略同じ厚みに形成され、厚肉部２３ａの厚さδ２はδ１よりも大きく形成されている。また、厚肉部２３ａが形成された領域の面積は、薄肉部２３ｂが形成された領域の面積よりも大きく形成されている。
【００１４】
このような構成において、グロメット２０を筺体１に組み付けるには、グロメット２０を、図１に示すように、ロアーケース２のＵ字状の溝８の開口から挿入し、鍔部２２の係合部２２ｂをＵ字状の溝８内に係入するとともに、鍔部２２の下部側を保持溝１２内に係入する。次いで、アッパーケース３をロアーケース２の上部開口に被せると、ロアーケース２の前端壁１５の第２の押え部１６ｂが、図３に示すように、グロメット２０の鍔部２２の段部２２ａと、第２の挟持部１１の上端とに係合するとともに、ロアーケース２の前端壁１５の第１の押え部１６ａが、図４に示すように、グロメット２０のケーブル保持部２１に係合する。
【００１５】
同時に、保持溝１２内に係入されたグロメット２０の鍔部２２の下部側が、図３に示すように、ロアーケース２の第１および第２の挟持部９，１１によって挟持されるとともに、鍔部２２の上部側がアッパーケース３の前端壁１５とロアーケース２の第１の挟持部９とによって挟持される。したがって、この状態で、アッパーケース３をロアーケース２にねじ２４によって固定することによって、グロメット２０も筺体１に固定される。このように、グロメット２０は鍔部２２をロアーケース２の保持溝１２内に係入するだけで、ロアーケース２に取り付けたアッパーケース３によって筺体１に固定されるので、グロメット２０を筺体１に容易に取り付けることができるから組付性が向上する。
【００１６】
この状態においては、グロメット２０の閉塞部２３によってケーブル保持部２１の一方の開口が閉塞されているため、筺体１を屋外に設置しても雨水や塵埃が筺体１内に侵入するのを確実に規制することができる。一方、筺体１からケーブル２５を外部に導出する場合には、ケーブル２５をグロメット２０のケーブル保持部２１内に挿入し、ケーブル２５の先端によって閉塞部２３を押圧する。上述したように、閉塞部２３は厚肉部２３ａと薄肉部２３ｂとによって形成され、厚肉部２３ａが形成された領域の面積は、薄肉部２３ｂが形成された領域の面積よりも大きく形成されている。
【００１７】
したがって、ケーブル２５によって閉塞部２３が押圧されると、厚肉部２３ａは剛性が大きくかつ応力が分散するため破断しずらいのに対して、薄肉部２３ｂは剛性が小さくかつ応力が集中するため破断し易い。しかも、薄肉部２３ｂが閉塞部２３の周縁部に設けられているため、薄肉部２３ｂが破断することにより、閉塞部２３全体がケーブル保持部２１から破断されるから、ケーブル保持部２１に閉塞部２３の切れ端が残るというようなことがない。したがって、切れ端を工具等で切断するといった後処理が不要になるから、作業性が向上するとともに、切れ端がケーブル２５とグロメット２０のケーブル保持部２１との間に介在するようなことがないから、防水性や防塵性が低下するようなことがない。
【図面の簡単な説明】
【００１８】
【図１】本発明に係るグロメットを筺体に組み付ける作業を説明するための分解斜視図である。
【図２】本発明に係るグロメットが組み付けられた状態を示す筺体の斜視図である。
【図３】図２におけるIII-III 線断面図である。
【図４】図２におけるIV-IV 線断面図である。
【図５】本発明に係るグロメットを示し、同図（ａ）は平面図、同図（ｂ）は正面図、同図（ｃ）は側面図、同図（ｄ）は背面図である。
【図６】図５（ｂ）におけるVI-VI 線断面図である。
【図７】従来のグロメットの断面図である。
【符号の説明】
【００１９】
１…筺体、２…ロアーケース、３…アッパーケース、９…第１の挟持部、１１…第２の挟持部、１２…保持溝、２０…グロメット、２１…ケーブル保持部、２２…鍔部、２２ａ…段部、２２ｂ…係合部、２３…閉塞部、２３ａ…厚肉部、２３ｂ…薄肉部、２５…ケーブル。
【図１】
2005110427.tif 000003
【図２】
2005110427.tif 000004
【図３】
2005110427.tif 000005
【図４】
2005110427.tif 000006
【図５】
2005110427.tif 000007
【図６】
2005110427.tif 000008
【図７】
2005110427.tif 000009